(57)【要約】【課題】作業者の労力負担を軽減させて太陽電池アレイの保守作業を効率良く行える太陽電池モジュール保守ユニット運搬用の車両を提供する。【解決手段】ワンボックスカーの運転者用スペース１０１の後方の開閉ドア１０３を有する荷物用スペース１０２における開閉ドア１０３の開口部１０３ａ近傍に太陽電池モジュール保守装置１０を分割した分割体３０が収納された収納部１１０，１２０が設置され、荷物用スペース１０２の収納部１１０，１２０よりも車内側に水タンク６０とポンプ７０とが設置され、水タンク６０とポンプ７０は荷物用スペース１０２に設置した状態のままで使用し、分割体２０ａ，５０は開閉ドア１０３を介して収納部１１０，１２０に対して収納及び取出し可能に構成された車両１００。【選択図】図１
2018192942.tif 000002
【特許請求の範囲】
【請求項１】
パネル表面を有する太陽電池モジュールを複数並べて設置した太陽電池アレイの維持管理を行う太陽電池モジュール保守ユニットを収納して運搬する車両であって、
前記太陽電池モジュール保守ユニットは、前記太陽電池アレイの保守作業を行う太陽電池モジュール保守装置と、該太陽電池モジュール保守装置に必要な水を溜めておく水タンクと、該水タンク内の水を前記太陽電池モジュール保守装置に送り出すポンプとを有するものであり、
前記車両はワンボックスカーであって、その運転席と助手席を有する運転者用スペースの後方に、開閉ドアを有する荷物用スペースを有しており、
前記荷物用スペースにおける前記開閉ドアの開口部近傍に、前記太陽電池モジュール保守装置を分割した複数の分割体が複数段に収納された収納部が設置されており、
前記荷物用スペースにおける前記収納部よりも車内側に、前記水タンクと前記ポンプとが設置されており、
前記水タンクと前記ポンプは、前記荷物用スペースに設置した状態のままで使用し、
前記分割体は、前記開閉ドアを介して前記収納部に対して収納及び取出し可能に構成されたことを特徴とする車両。
【請求項２】
前記荷物用スペースにおける後側位置の前記開閉ドアの前記開口部近傍に、前記収納部が設置されており、
前記荷物用スペースにおける前記収納部よりも車内側である前側位置に、前記水タンクと前記ポンプとが設置されていることを特徴とする請求項１に記載の車両。
【請求項３】
前記荷物用スペースにおける後側位置と横側位置の前記開閉ドアの前記開口部近傍にそれぞれ、前記収納部が設置されており、
前記荷物用スペースにおける双方の前記収納部よりも車内側に、前記水タンクと前記ポンプとが設置されていることを特徴とする請求項１に記載の車両。
【請求項４】
前記荷物用スペースにおける前記収納部よりも車内側に、前記水タンクから送り出された水を通して純水を作り出す純水装置が設置されていることを特徴とする請求項１乃至３の何れか一項に記載の車両。
【請求項５】
前記水タンクから送り出された水を通す送水ホースの先端部が、少なくとも前記荷物用スペースの前記開口部まで延びており、前記先端部に第１ワンタッチカプラを有していることを特徴とする請求項１乃至４の何れか一項に記載の車両。
【請求項６】
前記水タンクに水を供給する給水ホースの先端部が、少なくとも前記荷物用スペースの前記開口部まで延びており、前記先端部に第２ワンタッチカプラを有していることを特徴とする請求項１乃至５の何れか一項に記載の車両。
【請求項７】
前記収納部に、前記分割体を出し入れするときに滑らせて移動させるレールを有していることを特徴とする請求項１乃至６の何れか一項に記載の車両。
【請求項８】
パネル表面を有する太陽電池モジュールを複数並べて設置した太陽電池アレイの維持管理を行う太陽電池モジュール保守ユニットを収納して運搬する車両であって、
前記太陽電池モジュール保守ユニットは、前記太陽電池アレイの保守作業を行う太陽電池モジュール保守装置と、該太陽電池モジュール保守装置に必要な水を溜めておく水タンクと、該水タンク内の水を前記太陽電池モジュール保守装置に送り出すポンプとを有するものであり、
前記車両はワンボックスカーであって、その運転席と助手席を有する運転者用スペースの後方に、開閉ドアを有する荷物用スペースを有しており、
前記荷物用スペースにおける前記開閉ドアの開口部近傍に、前記太陽電池モジュール保守装置を分割した複数の分割体を複数段に収納する収納部が設置されており、
前記荷物用スペースにおける前記収納部よりも車内側に、前記水タンクが設置されるタンク設置部と前記ポンプが設置されるポンプ設置部とが設けられていることを特徴とする車両。
【請求項９】
前記荷物用スペースにおける後側位置の前記開閉ドアの前記開口部近傍に、前記収納部が設置されており、
前記荷物用スペースにおける前記収納部よりも車内側である前側位置に、前記水タンク設置部と前記ポンプ設置部とが設けられていることを特徴とする請求項８に記載の車両。
【請求項１０】
前記荷物用スペースにおける後側位置と横側位置の前記開閉ドアの前記開口部近傍にそれぞれ、前記収納部が設置されており、
前記荷物用スペースにおける双方の前記収納部よりも車内側に、前記水タンク設置部と前記ポンプ設置部とが設けられていることを特徴とする請求項８に記載の車両。
【請求項１１】
前記荷物用スペースにおける前記収納部よりも車内側に、前記水タンクから送り出された水を通して純水を作り出す純水装置が設置される純水装置設置部が設けられていることを特徴とする請求項８乃至１０の何れか一項に記載の車両。
【発明の詳細な説明】
【技術分野】
【０００１】
本発明は、車両に関し、特に、太陽電池モジュール保守ユニットを太陽電池アレイが設置された作業場所まで運搬する車両に関するものである。
【背景技術】
【０００２】
従来、太陽電池モジュールを複数並べて設置した太陽電池アレイが知られている。また、このような太陽電池アレイの、各太陽電池モジュールの発電能力の低下を防ぐために、太陽光を受光するパネル表面を清掃する清掃装置が知られている（例えば、特許文献１参照）。
【０００３】
特許文献１の清掃装置は、太陽電池モジュールのパネル表面に接触する車輪等の走行体と回転ブラシ等の清掃機構を有しており、太陽電池モジュールのパネル表面上を走行体で走行しながら清掃機構で清掃する。
【０００４】
また、従来、このような太陽電池モジュールの清掃装置は、トラックやワンボックスカーのような車両に載せて、清掃する太陽電池アレイが設置された作業場所まで運搬し、作業場所で車両から清掃装置を下ろして、太陽電池アレイに対する清掃を行うようになっていた。
【先行技術文献】
【特許文献】
【０００５】
【特許文献１】特開２０１５−１３８８５４号公報
【発明の概要】
【発明が解決しようとする課題】
【０００６】
ここで、太陽電池モジュールの清掃には水を使用することが多いが、作業場所によっては水が確保できない場合がある。そのため、清掃装置と共に水タンクに水を入れて車両に載せて行き、当該水タンクも清掃装置と共に作業場所で車両から下ろして設置し、清掃を行うようにしていた。
【０００７】
しかしながら、清掃装置や水タンクは重量のあるものが多く、車両から全てを下ろして設置して、作業終了後にまた全てを車両に載せることは、作業者にとって非常に大きな労力負担となっており、作業効率が悪いと問題になっていた。
【０００８】
そこで、本発明は、作業者の労力負担を軽減させて、太陽電池アレイの清掃等の保守作業を効率良く行うことができる太陽電池モジュール保守ユニット運搬用の車両を提供することを課題としている。
【課題を解決するための手段】
【０００９】
かかる課題を達成するために、請求項１に記載の発明は、パネル表面を有する太陽電池モジュールを複数並べて設置した太陽電池アレイの維持管理を行う太陽電池モジュール保守ユニットを収納して運搬する車両であって、前記太陽電池モジュール保守ユニットは、前記太陽電池アレイの保守作業を行う太陽電池モジュール保守装置と、該太陽電池モジュール保守装置に必要な水を溜めておく水タンクと、該水タンク内の水を前記太陽電池モジュール保守装置に送り出すポンプとを有するものであり、前記車両はワンボックスカーであって、その運転席と助手席を有する運転者用スペースの後方に、開閉ドアを有する荷物用スペースを有しており、前記荷物用スペースにおける前記開閉ドアの開口部近傍に、前記太陽電池モジュール保守装置を分割した複数の分割体が複数段に収納された収納部が設置されており、前記荷物用スペースにおける前記収納部よりも車内側に、前記水タンクと前記ポンプとが設置されており、前記水タンクと前記ポンプは、前記荷物用スペースに設置した状態のままで使用し、前記分割体は、前記開閉ドアを介して前記収納部に対して収納及び取出し可能に構成された車両としたことを特徴とする。
【００１０】
また、請求項２に記載の発明は、請求項１に記載の構成に加え、前記荷物用スペースにおける後側位置の前記開閉ドアの前記開口部近傍に、前記収納部が設置されており、前記荷物用スペースにおける前記収納部よりも車内側である前側位置に、前記水タンクと前記ポンプとが設置されている車両としたことを特徴とする。
【００１１】
また、請求項３に記載の発明は、請求項１に記載の構成に加え、前記荷物用スペースにおける後側位置と横側位置の前記開閉ドアの前記開口部近傍にそれぞれ、前記収納部が設置されており、前記荷物用スペースにおける双方の前記収納部よりも車内側に、前記水タンクと前記ポンプとが設置されている車両としたことを特徴とする。
【００１２】
また、請求項４に記載の発明は、請求項１乃至３の何れか一項に記載の構成に加え、前記荷物用スペースにおける前記収納部よりも車内側に、前記水タンクから送り出された水を通して純水を作り出す純水装置が設置されている車両としたことを特徴とする。
【００１３】
また、請求項５に記載の発明は、請求項１乃至４の何れか一項に記載の構成に加え、前記水タンクから送り出された水を通す送水ホースの先端部が、少なくとも前記荷物用スペースの前記開口部まで延びており、前記先端部に第１ワンタッチカプラを有している車両としたことを特徴とする。
【００１４】
また、請求項６に記載の発明は、請求項１乃至５の何れか一項に記載の構成に加え、前記水タンクに水を供給する給水ホースの先端部が、少なくとも前記荷物用スペースの前記開口部まで延びており、前記先端部に第２ワンタッチカプラを有している車両としたことを特徴とする。
【００１５】
また、請求項７に記載の発明は、請求項１乃至６の何れか一項に記載の構成に加え、前記収納部に、前記分割体を出し入れするときに滑らせて移動させるレールを有している車両としたことを特徴とする。
【００１６】
また、請求項８に記載の発明は、パネル表面を有する太陽電池モジュールを複数並べて設置した太陽電池アレイの維持管理を行う太陽電池モジュール保守ユニットを収納して運搬する車両であって、前記太陽電池モジュール保守ユニットは、前記太陽電池アレイの保守作業を行う太陽電池モジュール保守装置と、該太陽電池モジュール保守装置に必要な水を溜めておく水タンクと、該水タンク内の水を前記太陽電池モジュール保守装置に送り出すポンプとを有するものであり、前記車両はワンボックスカーであって、その運転席と助手席を有する運転者用スペースの後方に、開閉ドアを有する荷物用スペースを有しており、前記荷物用スペースにおける前記開閉ドアの開口部近傍に、前記太陽電池モジュール保守装置を分割した複数の分割体を複数段に収納する収納部が設置されており、前記荷物用スペースにおける前記収納部よりも車内側に、前記水タンクが設置されるタンク設置部と前記ポンプが設置されるポンプ設置部とが設けられている車両としたことを特徴とする。
【００１７】
また、請求項９に記載の発明は、請求項８に記載の構成に加え、前記荷物用スペースにおける後側位置の前記開閉ドアの前記開口部近傍に、前記収納部が設置されており、前記荷物用スペースにおける前記収納部よりも車内側である前側位置に、前記水タンク設置部と前記ポンプ設置部とが設けられている車両としたことを特徴とする。
【００１８】
また、請求項１０に記載の発明は、請求項８に記載の構成に加え、前記荷物用スペースにおける後側位置と横側位置の前記開閉ドアの前記開口部近傍にそれぞれ、前記収納部が設置されており、前記荷物用スペースにおける双方の前記収納部よりも車内側に、前記水タンク設置部と前記ポンプ設置部とが設けられている車両としたことを特徴とする。
【００１９】
また、請求項１１に記載の発明は、請求項８乃至１０の何れか一項に記載の構成に加え、前記荷物用スペースにおける前記収納部よりも車内側に、前記水タンクから送り出された水を通して純水を作り出す純水装置が設置される純水装置設置部が設けられている車両としたことを特徴とする。
【発明の効果】
【００２０】
請求項１及び８に記載の発明によれば、ワンボックスカーの荷物用スペースにおける開閉ドアの開口部近傍に太陽電池モジュール保守装置の分割体を収納する収納部が設置され、当該収納部よりも車内側に水タンクとポンプとが設置されており、車内側の水タンクとポンプを車両に載せたままで使用することで、太陽電池モジュール保守装置を使用する際に取り出す分割体を取り出し易くすることができる。また、水タンクとポンプを取り出さないでも太陽電池モジュール保守装置による保守作業を行えることで、作業者の労力負担を軽減させて、作業効率を向上させることができる。
【００２１】
また、請求項２及び９に記載の発明によれば、収納部が荷物用スペースの後側位置の開閉ドアの開口部近傍に設置され、水タンクとポンプが荷物用スペースにおける収納部より車内側である前側位置に設置されることで、後側に開閉ドアを有していて当該後側の開閉ドアから分割体を出し入れする場合において、太陽電池モジュール保守装置を使用する際に取り出す分割体を取り出し易くすることができる。
【００２２】
また、請求項３及び１０に記載の発明によれば、収納部が荷物用スペースの後側位置と横側位置の開閉ドアの開口部近傍のそれぞれに設置され、水タンクとポンプが荷物用スペースにおける双方の収納部より車内側に設置されることで、後側と横側に開閉ドアを有していて当該後側と横側のそれぞれの開閉ドアから分割体を出し入れする場合において、太陽電池モジュール保守装置を使用する際に取り出す分割体を取り出し易くすることができる。
【００２３】
また、請求項４及び１１に記載の発明によれば、保守作業に純水を使用する場合において、純水を作り出す純水装置を含めた水タンクとポンプ等の水供給関連の装置は車両から下ろすことなく太陽電池モジュール保守ユニットの設置及び撤収を行うことができるため、よりスムーズに短い時間で太陽電池モジュール保守装置による保守作業を行うことができる。
【００２４】
また、請求項５に記載の発明によれば、太陽電池モジュール保守装置に繋がる送水ホースが開閉ドアの開口部に延びており、さらにホースの先にワンタッチカプラが設けられているため、太陽電池モジュール保守装置側と簡単に繋ぐことができる。その結果、より短い時間で太陽電池モジュール保守ユニットの設置及び撤収を行うことができる。
【００２５】
また、請求項６に記載の発明によれば、水タンクに繋がる給水ホースが開閉ドアの開口部に延びており、さらにホースの先にワンタッチカプラが設けられているため、簡単に水タンクに水を給水することができる。その結果、より短い時間で太陽電池モジュール保守ユニットの準備を行うことができる。
【００２６】
また、請求項７に記載の発明によれば、レールによって分割体を滑らせて出し入れすることができるため、スムーズかつ楽に分割体の出し入れを行うことができる。
【図面の簡単な説明】
【００２７】
【図１】この発明の実施の形態１に係る太陽電池モジュール清掃ユニットを載せた車両内部を示す平面図である。
【図２】同実施の形態１に係る車両内部を示す背面図である。
【図３】同実施の形態１の車両に載せた太陽電池モジュール清掃装置を太陽電池アレイ上に配置した状態を示す平面図である。
【図４】この発明の実施の形態２に係る太陽電池モジュール清掃ユニットを載せた車両内部を示す平面図である。
【図５】同実施の形態２に係る車両に設置された第１収納部を示す正面図である。
【図６】同実施の形態２に係る車両に設置された第２収納部を示す正面図である。
【図７】同実施の形態２の車両に載せた太陽電池モジュール清掃装置を太陽電池アレイ上に配置した状態を示す平面図である。
【発明を実施するための形態】
【００２８】
以下、この発明の実施の形態について、図面を参照して詳細に説明する。
［発明の実施の形態１］
図１〜図３には、この発明の実施の形態１を示す。なお、ここでは、「太陽電池モジュール保守ユニット」の一例として、太陽電池アレイを構成する太陽電池モジュールの表面に配置されているパネル表面の「保守作業」としての清掃作業を行う「太陽電池モジュール保守装置」としての太陽電池モジュール清掃装置を有する太陽電池モジュール清掃ユニットについて説明し、太陽電池モジュール保守ユニットを運搬する「車両」の一例として、太陽電池モジュール清掃ユニットを運搬する車両について説明する。
【００２９】
まず、この実施の形態の太陽電池アレイ１について、図３を用いて説明する。
【００３０】
一般に、太陽電池アレイ１は、パネル表面３が傾斜した状態、すなわちパネル表面３の上側側面１ａが下側側面１ｂよりも上に位置する状態で、設置される。図３において、横方向は略水平な方向Ｐであり、縦方向は傾斜したパネル表面３と略平行で且つ水平方向Ｐと略直角な方向である。以下の説明では、図３に縦方向として表された方向を、傾斜方向Ｌと記す。
【００３１】
この太陽電池アレイ１は、図３に示すように、複数の太陽電池モジュール２を、前後左右に並べて設置したものである。図３の例では、太陽電池モジュール２を、傾斜方向Ｌに４枚、水平方向Ｐに１０枚（一部のみ図示）並べている。
【００３２】
また、それぞれの太陽電池モジュール２は、前記したパネル表面３と、その裏面側に配置された発電装置（図示省略）とを有するパネル本体４と、その周囲に設けられた縁部５とを有している。このうち、パネル表面３はガラスで構成されており、縁部５はアルミニウム等の金属で構成されている。
【００３３】
次に、この実施の形態の太陽電池モジュール清掃ユニットについて説明する。この実施の形態の太陽電池モジュール清掃ユニットは、図１〜図３に示すように、太陽電池アレイ１に取り付けてその清掃作業を行う太陽電池モジュール保守装置１０と、その太陽電池モジュール清掃装置１０の作業に用いる水を溜めておく水タンク６０と、その水タンク６０内の水を太陽電池モジュール清掃装置１０に送り出すポンプ７０と、水タンク６０から送り出された水を通して純水を作り出す純水装置８０と、太陽電池モジュール清掃装置１０やポンプ７０の作動に必要な電気を作り出す発電装置９０とを有する構成となっている。
【００３４】
太陽電池モジュール清掃装置１０は、図３に示すような、太陽電池アレイ１の表面の清掃を行う。この太陽電池モジュール清掃装置１０は、太陽電池アレイ１の上端に引っ掛けられた状態で配置されて、太陽電池モジュール２のパネル表面３上を走行部３０によって水平方向Ｐに移動可能な移動レール部材２０と、この移動レール部材２０に搭載されて走行部３０によって移動しながら太陽電池アレイ１に清掃作業を行う清掃装置本体５０とを有している。
【００３５】
このうち、移動レール部材２０は、図３に示すように、走行部３０を有しており、清掃装置本体５０を取り付けて、太陽電池アレイ１の水平方向Ｐに移動するようになっている。具体的には、太陽電池アレイ１の傾斜方向Ｌに沿うように太陽電池アレイ１上に配設された２本のバー２１と、当該バー２１に固定されて太陽電池アレイ１の上端側面１ａに当接する端部材２２とを有している。また、端部材２２には、上端側面１ａに対向するように車輪２３が設けられており、バー２１に固定された端部材２２の車輪２３で上側側面１ａから太陽電池アレイ１に引っ掛けられている。そして、移動レール部材２０に取り付けられた走行部３０が、電源ユニットを兼ねたコントロールユニット（図示省略）と、モータ（図示省略）とを有しており、作業者が操作するリモコン等からの指示を受けて、太陽電池モジュール２のパネル表面３上を水平方向Ｐに移動するように構成されている。
【００３６】
また、移動レール部材２０は、図１及び図２に示すような複数の分割体２０ａに分解可能となっており、太陽電池アレイ１に設置前は、分割体２０ａの状態で運搬等できるようになっている。そして、設置の際には、分割体２０ａ同士のバー２１を連結させて、図示しない固定具で固定することにより、連結状態を保持するようになっている。
【００３７】
また、清掃装置本体５０は、図３に示すように、移動レール部材２０に取り付けられて、移動レール部材２０によって水平方向Ｐに移動するようになっている。この実施の形態では、清掃装置本体５０が移動レール部材２０上において間を開けて上下２つの部材で構成されている。また、清掃装置本体５０は、太陽電池アレイ１の傾斜方向Ｌに沿って、回転ブラシ（図示省略）が設けられており、この回転ブラシが水平方向Ｐに回転するようになっている。また、この実施の形態では、２本の回転ブラシが水平方向Ｐに並べて配置されている。また、清掃装置本体５０には、パネル表面３に水を供給する散水管（図示省略）が配設されている。この散水管は、ホースを介して純水装置８０と水タンク７０に繋がれており、ポンプ７０によって水タンク７０から純水装置８０を通して作られた純水が散水管からパネル表面３に供給されるようになっている。
【００３８】
また、２つの清掃装置本体５０には、上下動用モータ（図示省略）が設けられており、これが駆動することにより、清掃装置本体５０と移動レール部材２０の間にあるラックアンドピニオン（図示省略）が動くようになっている。そして、これに応じて清掃装置本体５０が移動レール部材２０に対して傾斜方向Ｌに沿って移動するようになっている。
【００３９】
また、図１〜図２に示すように、水タンク６０は、２００リットルのタンクであり、清掃作業に用いる水が溜められているものである。また、ポンプ７０は、水タンク６０内の水を太陽電池モジュール清掃装置１０に送り出す機能を果たしている。また、純水装置８０は、水タンク６０から送り出された水を通して純水を作り出す装置である。また、発電装置９０は、ガソリン等の燃料を用いて、太陽電池モジュール清掃装置１０やポンプ７０の作動に必要な電気を作り出す装置であり、太陽電池モジュール清掃装置１０やポンプ７０に電気的に接続して使用する。
【００４０】
そして、水タンク６０から純水装置８０、純水装置８０から太陽電池モジュール清掃装置１０が送水ホース４０によって接続され、水タンク６０の水を純水装置８０を通して太陽電池モジュール清掃装置１０に供給するようになっている。また、水タンク６０に水を溜める際に使用する給水ホースの一端が、水タンク６０に繋がれている。
【００４１】
そして、この実施の形態の車両１００は、このような構成を有する太陽電池モジュール清掃ユニットを分割して収納して運搬するように構成されている。以下、この実施の形態の車両１００について、図１〜図２を用いて説明する。
【００４２】
この実施の形態の車両１００は、図１に示すようなワンボックスカーであり、前方に運転席や助手席を有する運転者用スペース１０１が設けられており、その後方に荷物を収納しておく荷物用スペース１０２が設けられている。
【００４３】
この荷物用スペース１０２は、図１に示すように、その後側位置には、開放したときに所定の開口部１０３ａが形成される跳ね上げ式のバック開閉ドア１０３を有しており、その横側位置（ここでは左右双方の側面）の前寄りには、開放したときに所定の開口部１０４ａ，１０５ａが形成されるスライド式のサイド開閉ドア１０４，１０５を有している。
【００４４】
また、図２に示すように、バック開閉ドア１０３の開口部１０３ａ近傍には、開閉ドア１０３と対向するように、「収納部」としての第１収納部１１０と第２収納部１２０が隣り合わせで設置されている。
【００４５】
このうち、後側から見て左側に設置された第１収納部１１０は、図２に示すように、複数段のラックであり、ここでは２つの段部１１１，１１２が設けられている。それぞれの段部１１１，１１２には、太陽電池モジュール清掃装置１０を分割した清掃装置本体５０が収納されるようになっている。また、この段部１１１，１１２には、それぞれ２本のレール１１５が車両１００の前後方向に延びるように形成されており、この２本のレール１１５が清掃装置本体５０の形状に合うように構成されている。また、２本のレール１１５は、ステンレス等の滑りやすい素材で形成されており、このレール１１５に沿って清掃装置本体５０を引き出すことで、容易に清掃装置本体５０が取り出すことができ、また、このレール１１５に沿って清掃装置本体５０を押し込むことで、容易に清掃装置本体５０を収納することができるようになっている。また、このレール１１が後方から前方に向かって貫通孔が設けられた筒状となっており、この内部に電気コード等の小物が収納できるように構成されている。
【００４６】
また、後側から見て右側に設置された第２収納部１２０は、図２に示すように、複数段のラックであり、第１収納部１１０よりも車両１００の前後方向に長尺に形成されている。また、この第２収納部１２０は、上下左右に合計４つの段部１２１，１２２，１２３，１２４が設けられている。それぞれの段部１２１，１２２，１２３，１２４には、太陽電池モジュール清掃装置１０のレール移動部材２０を分割した分割体２０ａが収納されるようになっている。
【００４７】
また、図１に示すように、バック開閉ドア１０３に対して、これら第１収納部１１０と第２収納部１２０より車内側である前側位置には、水タンク６０を設置するための水タンク設置部６０ａが設けられており、ここに２００リットルの水タンク６０が設置されている。また、水タンクの上部がポンプ７０が設置されるポンプ設置部となっており、水タンク６０の上部にポンプ７０が設置されている。また、水タンク６０から見て車両１００の左側には、純水装置８０を設置するための純水装置設置部８０ａが設けられており、ここに純水装置８０が設置されている。また、水タンク６０から見て車両１００の前方には、発電装置９０が設置される発電装置設置部９０ａが設けられており、ここに発電装置９０が設置されている。なお、水タンク設置部６０ａ，ポンプ設置部，純水装置設置部８０ａ，発電装置設置部９０ａは、置き台や凹部等で区画されているものでも良いし、ゴムバンド等でそれぞれが固定可能な状態となっている箇所でも良いし、双方の構成を有するものでも良い。
【００４８】
また、図１に示すように、ポンプ７０と純水装置８０とは、接続ホース４３で予め接続されており、これにより、ポンプ７０を作動させることで水タンク６０に溜まっている水が純水装置８０に送られるように構成されている。
【００４９】
また、図１に示すように、純水装置８０からバック開閉ドア１０３の開口部１０３ａ方向には、水タンク６０から純水装置８０を通して作られた純水を太陽電池モジュール清掃装置１０に送り出す送水ホース４１が延びており、少なくとも開口部１０３ａまで延びるように構成されている。ここでは、開口部１０３ａから出て車両１００の外部に垂れ下がる程度の長さに設けられている。また、送水ホース４１の先端部に、所定の第１ワンタッチカプラ４２が設けられている。この第１ワンタッチカプラ４２と対をなすワンタッチカプラ（図示省略）が太陽電池モジュール清掃装置１０まで繋がるホース（図示省略）の先端部にも形成されており、双方をワンタッチで接続することができるようになっている。
【００５０】
また、図１に示すように、水タンク６０からバック開閉ドア１０３の開口部１０３ａ方向には、水道等の水供給施設から水タンク６０に水を供給するための給水ホース４５が延びており、少なくとも開口部１０３ａまで延びるように構成されている。ここでは、開口部１０３ａから出て車両１００の外部に垂れ下がる程度の長さに設けられている。また、給水ホース４５の先端部に、所定の第２ワンタッチカプラ４６が設けられている。この第２ワンタッチカプラ４６と対をなすワンタッチカプラ（図示省略）が水道等の水供給施設から延びるホース（図示省略）の先端部にも形成されており、双方をワンタッチで接続することができるようになっている。
【００５１】
次に、この実施の形態の作用について説明する。
【００５２】
まず、荷物用スペース１０２の第１収納部１１０より車内側である前側位置に設けられた水タンク設置部６０ａに水タンク６０を設置し、水タンクの上部にポンプ７０を設置し、水タンク設置部６０ａの車両左側の純水装置設置部８０ａに純水装置８０を設置し、これらより前側位置の発電装置設置部９０ａに発電装置９０を設置する。
【００５３】
この状態の車両１００に対して、第１収納部１１０に複数の清掃装置本体５０を収納する。また、第２収納部１２０に複数のレール移動部材２０の分割体２０ａを収納する。また、バック開閉ドア１０３の開口部１０３ａまで延びるように形成されている給水ホース４５の第２ワンタッチカプラ４６を水道等の水供給施設から延びるホースのワンタッチカプラと接続し、水タンク６０に水を溜めるべく水の供給を受ける。
【００５４】
また、延長ホース等、その他必要な小物等を荷物用スペース１０２に積み込む。このような準備を行った上で、太陽電池アレイ１が設置された作業場所まで移動する。
【００５５】
太陽電池アレイ１の設置された作業場所に到着したら、バック開閉ドア１０３の開口部１０３ａを開放し、第２収納部１２０から当該太陽電池アレイ１の大きさに合わせて２〜３つの分割体２０ａを取り出し、これらを組み立ててレール移動部材２０を形成し、太陽電池アレイ１に設置する。また、第１収納部１１０から複数の清掃装置本体５０を取り出し、組み立てたレール移動部材２０の所定位置に設置し、太陽電池モジュール清掃装置１０を形成する。
【００５６】
また、発電装置９０をサイド開閉ドア１０５の開口部１０５ａから取り出し、ポンプ７０と太陽電池モジュール清掃装置１０に電気的に接続する。さらに、バック開閉ドア１０３の開口部１０３ａまで延びる送水ホース４１の第１ワンタッチカプラ４２に太陽電池モジュール清掃装置１０から延びるホースのワンタッチカプラを接続する。
【００５７】
その後、太陽電池モジュール清掃装置１０とポンプ７０を起動し、清掃作業を行う。清掃作業が終了したら、ホースや電気の接続を解除し、太陽電池モジュール清掃装置１０を分解して、第１収納部１１０に清掃装置本体５０を収納し、第２収納部１２０にレール移動部材２０の分割体２０ａを収納し、発電装置９０を発電装置設置部９０ａに収納し、終了となる。
【００５８】
以上のように、この実施の形態の車両１００は、ワンボックスカーの荷物用スペース１０２におけるバック開閉ドア１０３の開口部１０３ａ近傍に太陽電池モジュール清掃装置１０のレール移動部材２０の分割体２０ａや清掃装置本体５０を収納する第１，第２収納部１１０，１２０が設置され、第１収納部１１０よりも車内側に水タンク６０とポンプ７０とが設置されており、車内側の水タンク６０とポンプ７０を車両１００に載せたままで使用することで、太陽電池モジュール清掃装置１０を使用する際に取り出す分割体２０ａ及び清掃装置本体５０を取り出し易くすることができる。また、水タンク６０とポンプ７０を取り出さないでも太陽電池モジュール清掃装置１０による清掃作業を行えることで、作業者の労力負担を軽減させて、作業効率を向上させることができる。
【００５９】
また、この実施の形態の車両１００によれば、第１収納部１１０及び第２収納部１２０が荷物用スペース１０２の後側位置のバック開閉ドア１０３の開口部１０３ａ近傍に設置され、水タンク６０とポンプ７０が荷物用スペース１０２における第１収納部１１０より車内側である前側位置に設置されることで、後側にバック開閉ドア１０３を有していて当該後側のバック開閉ドア１０３から分割体２０ａや清掃装置本体５０を出し入れする場合において、太陽電池モジュール清掃装置１０を使用する際に取り出す分割体２０ａや清掃装置本体５０を取り出し易くすることができる。
【００６０】
また、この実施の形態の車両１００によれば、清掃作業に純水を使用する場合において、純水を作り出す純水装置８０を含めた水タンク６０とポンプ７０等の水供給関連の装置は車両１００から下ろすことなく太陽電池モジュール清掃ユニットの設置及び撤収を行うことができるため、よりスムーズに短い時間で太陽電池モジュール清掃装置１０による保守作業を行うことができる。
【００６１】
また、この実施の形態の車両１００によれば、太陽電池モジュール清掃装置１０に繋がる送水ホース４１がバック開閉ドア１０３の開口部１０３ａに延びており、さらに送水ホース４１の先に第１ワンタッチカプラ４２が設けられているため、太陽電池モジュール清掃装置１０側と簡単に繋ぐことができる。その結果、より短い時間で太陽電池モジュール清掃ユニットの設置及び撤収を行うことができる。
【００６２】
また、この実施の形態の車両１００によれば、水タンク６０に繋がる給水ホース４５がバック開閉ドア１０３の開口部１０３ａに延びており、さらに給水ホース４５の先に第２ワンタッチカプラ４６が設けられているため、簡単に水タンク６０に水を給水することができる。その結果、より短い時間で太陽電池モジュール清掃ユニットの準備を行うことができる。
【００６３】
また、この実施の形態の車両１００によれば、レール１１５によって清掃装置本体５０を滑らせて出し入れすることができるため、スムーズかつ楽に清掃装置本体５０の出し入れを行うことができる。
［発明の実施の形態２］
次に、この発明の実施の形態２について説明する。図４〜図７には、この発明の実施の形態２を示す。なお、以下に記載する点以外については、前記した実施の形態１と同様であるので、同じ符号を付して説明を省略する。
【００６４】
この実施の形態の太陽電池モジュール清掃ユニットにおける太陽電池モジュール清掃装置２１０は、図７に示すように、清掃装置本体２５０と、当該清掃装置本体２５０に取り付けられる端部材２２０とを有している。
【００６５】
このうち、端部材２２０は、図７に示すように、清掃装置本体２５０の上端（すなわち、後述する最上部の分割体２５０ａの上端）に取り付けられて、当該清掃装置本体２５０を太陽電池アレイ１の水平方向Ｐに移動させるために設けられたものであり、太陽電池アレイ１の上側側面１ａに引っ掛けるように係止されて、設置される。また、端部材２２０には、上側側面１ａに対向するように車輪２２３が設けられており、これにより、端部材２２０を当該車輪２２３で水平方向Ｐに移動させることができる。
【００６６】
また、清掃装置本体２５０は、太陽電池アレイ１の傾斜方向Ｌに沿って、回転ブラシ２５１が設けられており、この回転ブラシ２５１が水平方向Ｐに回転して、太陽電池モジュール２のパネル表面３の清掃を行うようになっている。また、この実施の形態では、複数の回転ブラシ２５１が２列で千鳥状に配置されている。また、清掃装置本体２５０には、パネル表面３に水を供給する散水管（図示省略）が配設されている。この散水管は、ホースを介して純水装置８０と水タンク７０に繋がれており、ポンプ７０によって水タンク７０から純水装置８０を通して作られた純水が散水管からパネル表面３に供給されるようになっている。また、この清掃装置本体２５０には、回転ブラシ２５１を水平方向Ｐに移動させる走行部２３０と、これらを制御するコントロールユニット（図示省略）とが備えられている。
【００６７】
また、清掃装置本体２５０は、図７に示すように、複数の分割体２５０ａを、パネル表面３に沿った傾斜方向Ｌに連結させて形成されている。この実施の形態では、形状の異なる３つの分割体２５０ａを連結させるようになっている。そして、分割体２５０ａを連結させた清掃装置本体２５０は、図７に示すように、太陽電池アレイ１の傾斜方向Ｌ全体に渡る大きさの略直方体形状に形成される。
【００６８】
なお、この実施の形態の太陽電池モジュール清掃装置１０は、清掃を行う太陽電池アレイ１の傾斜方向Ｌの長さに応じて、分割体２５０ａの種類や数を変更することが可能である。例えば、太陽電池アレイ１の傾斜方向Ｌの長さが短いときには、分割体２５０ａを２つだけ連結させて、図７のものより短い清掃装置本体２５０を構成することが可能である。
【００６９】
また、太陽電池アレイ１の傾斜方向Ｌの長さが長いときには、分割体２５０ａを計４つ連結させて、図１のものより長い清掃装置本体２５０を構成することが可能である。ここで、長さが互いに異なる複数種類の分割体２５０ａを用意しておくことで、様々な寸法の太陽電池アレイに応じて清掃装置本体２５０の寸法を変更し易くなる。
【００７０】
次に、この実施の形態２の車両３００について、図４〜図６を用いて説明する。
【００７１】
この実施の形態の車両３００の荷物用スペース１０２は、図４に示すように、バック開閉ドア１０３の開口部１０３ａ近傍に、開閉ドア１０３と対向するように、「収納部」としての第１収納部３１０が設置されている。この第１収納部３１０は、図５に示すように、複数段のラックであり、ここでは３つの段部３１１，３１２，３１３が設けられている。それぞれの段部３１１，３１２，３１３には、太陽電池モジュール清掃装置２１０を分割した分割体２５０ａが収納されるようになっている。
【００７２】
また、図４に示すように、右側のサイド開閉ドア１０４の開口部１０４ａ近傍には、開閉ドア１０４と対向するように、「収納部」としての第２収納部３２０が設置されている。この第２収納部３２０は、図６に示すように、複数段のラックであり、ここでは４つの段部３２１，３２２，３２３，３２４が設けられている。このうち下側３つの段部３２１，３２２，３２３には、太陽電池モジュール清掃装置２１０を分割した分割体２５０ａが収納されるようになっている。また、１番上の段部３２４には、ホースリールＨ等の小物が収納されるようになっている。ここでは、ホースリールＨが４つ収納されるようになっている。
【００７３】
また、図４に示すように、バック開閉ドア１０３に対して第１収納部３１０より車内側である前側位置で、かつ、サイド開閉ドア１０４に対して、第２収納部３２０より車内側である後側位置には、水タンク６０を設置するための水タンク設置部２６０ａが設けられており、ここに２００リットルの水タンク６０が設置されている。また、水タンク６０の上部がポンプ７０が設置されるポンプ設置部となっており、水タンク６０の上部にポンプ７０が設置されている。また、水タンク６０から見て車両１００の左側には、純水装置８０を設置するための純水装置設置部８０ａが設けられており、ここに純水装置８０が設置されている。また、水タンク６０から見て車両１００の前方には、発電装置９０が設置される発電装置設置部９０ａが設けられており、ここに発電装置９０が設置されている。なお、水タンク設置部２６０ａ，ポンプ設置部，純水装置設置部８０ａ，発電装置設置部９０ａは、置き台や凹部等で区画されているものでも良いし、ゴムバンド等でそれぞれが固定可能な状態となっている箇所でも良いし、双方の構成を有するものでも良い。
【００７４】
また、前記した実施の形態１と同様に、図４に示すように、ポンプ７０と純水装置８０とが接続ホース４３で予め接続され、純水装置８０から少なくともバック開閉ドア１０３の開口部１０３ａまでは、水タンク６０から純水装置８０を通して作られた純水を太陽電池モジュール清掃装置２１０に送り出す送水ホース４１が延び、水タンク６０から少なくともバック開閉ドア１０３の開口部１０３ａまでは、水道等の水供給施設から水タンク６０に水を供給するための給水ホース４５が延びている。また、送水ホース４１の先端部に第１ワンタッチカプラ４２が設けられ、給水ホース４５の先端部に第２ワンタッチカプラ４６が設けられている。
【００７５】
次に、この実施の形態の作用について説明する。
【００７６】
まず、荷物用スペース１０２の第１収納部３１０より車内側である前側位置で、第２収納部３２０より車内側である後側位置に設けられた水タンク設置部２６０ａに水タンク６０を設置し、水タンクの上部にポンプ７０を設置し、水タンク設置部２６０ａの車両左側の純水装置設置部８０ａに純水装置８０を設置し、これらより前側位置の発電装置設置部９０ａに発電装置９０を設置する。
【００７７】
この状態の車両３００に対して、第１収納部３１０と第２分割部３２０に複数の分割体２５０ａを収納する。また、前記した実施の形態１と同様に、給水ホース４５を介して水道等の水供給施設から水タンク６０に水の供給を受けて溜める。
【００７８】
また、ホースリールＨ等、その他必要な小物等を積み込む。このような準備を行った上で、太陽電池アレイ１が設置された作業場所まで移動する。
【００７９】
太陽電池アレイ１の設置された作業場所に到着したら、バック開閉ドア１０３の開口部１０３ａを開放すると共に、サイド開閉ドア１０４の開口部１０４ａを開放し、第１収納部３１０と第２収納部３２０から当該太陽電池アレイ１の大きさに合わせて２〜４つの分割体２５０ａを取り出し、これら傾斜方向Ｌに連結して太陽電池モジュール清掃装置２１０を形成し、太陽電池アレイ１に設置する。
【００８０】
また、発電装置９０をサイド開閉ドア１０５の開口部１０５ａから取り出し、ポンプ７０と太陽電池モジュール清掃装置２１０に電気的に接続する。さらに、バック開閉ドア１０３の開口部１０３ａで送水ホース４１と太陽電池モジュール清掃装置１０から延びるホースを接続する。
【００８１】
その後、太陽電池モジュール清掃装置２１０とポンプ７０を起動し、清掃作業を行う。清掃作業が終了したら、ホースや電気の接続を解除し、太陽電池モジュール清掃装置２１０を分解して、第１収納部３１０と第２収納部３２０に分割体２５０ａを収納し、発電装置９０を発電装置設置部９０ａに収納し、終了となる。
【００８２】
以上のように、この実施の形態の車両３００は、ワンボックスカーの荷物用スペース１０２におけるバック開閉ドア１０３の開口部１０３ａ近傍とサイド開閉ドア１０４の開口部１０４ａ近傍に太陽電池モジュール清掃装置２１０の分割体２５０ａを収納する第１，第２収納部３１０，３２０が設置され、第１，第２収納部３１０，３２０よりも車内側に水タンク６０とポンプ７０とが設置されており、車内側の水タンク６０とポンプ７０を車両３００に載せたままで使用することで、太陽電池モジュール清掃装置２１０を使用する際に取り出す分割体２５０ａを取り出し易くすることができる。また、水タンク６０とポンプ７０を取り出さないでも太陽電池モジュール清掃装置２１０による清掃作業を行えることで、作業者の労力負担を軽減させて、作業効率を向上させることができる。
【００８３】
また、この実施の形態の車両３００によれば、第１収納部３１０が荷物用スペース１０２における後側位置のバック開閉ドア１０３の開口部１０３ａ近傍に設置され、第２収納部３２０が横側位置のサイド開閉ドア１０４の開口部１０４ａ近傍に設置され、水タンク６０とポンプ７０が荷物用スペース１０２における双方の収納部１０３，１０４よりも車内側に設置されることで、後側と横側に開閉ドア１０３，１０４を有していて当該後側と横側のそれぞれの開閉ドア１０３，１０４から分割体２５０ａを出し入れする場合において、太陽電池モジュール清掃装置２１０を使用する際に取り出す分割体２５０ａを取り出し易くすることができる。
【００８４】
また、この実施の形態の車両３００によれば、清掃作業に純水を使用する場合において、純水を作り出す純水装置８０を含めた水タンク６０とポンプ７０等の水供給関連の装置は車両３００から下ろすことなく太陽電池モジュール清掃ユニットの設置及び撤収を行うことができるため、よりスムーズに短い時間で太陽電池モジュール清掃装置２１０による保守作業を行うことができる。
【００８５】
また、この実施の形態の車両３００によれば、太陽電池モジュール清掃装置２１０に繋がる送水ホース４１がバック開閉ドア１０３の開口部１０３ａに延びており、さらに送水ホース４１の先に第１ワンタッチカプラ４２が設けられているため、太陽電池モジュール清掃装置２１０側と簡単に繋ぐことができる。その結果、より短い時間で太陽電池モジュール清掃ユニットの設置及び撤収を行うことができる。
【００８６】
また、この実施の形態の車両３００によれば、水タンク６０に繋がる給水ホース４５がバック開閉ドア１０３の開口部１０３ａに延びており、さらに給水ホース４５の先に第２ワンタッチカプラ４６が設けられているため、簡単に水タンク６０に水を給水することができる。その結果、より短い時間で太陽電池モジュール清掃ユニットの準備を行うことができる。
【００８７】
なお、以上説明した各実施の形態は、本発明の理解を容易にするために記載されたものであって、本発明を限定するものではない。
【００８８】
例えば、前記した実施の形態では、太陽電池モジュール清掃装置１０におけるレール移動部材２０の端部材２２は、太陽電池アレイ１の上側側面１ａに車輪２３を当接させながら水平方向Ｐに移動するようになっていたが、これに限るものではなく、車輪２３の代わりに、キャタピラや上側側面１ａに対して滑動する部材を使用して端部材２２を水平方向Ｐに移動させるようになっていても良い。
【００８９】
また、前記した実施の形態では、端部材２２を太陽電池アレイ１の上側側面１ａに引っ掛けることで、端部材２２を太陽電池アレイ１に保持させるようにしたが、これに限るものではなく、別の構成で太陽電池アレイ１に保持させるようにしても良い。例えば、一対の端部材を、太陽電池アレイの上側側面と下側側面のそれぞれに配置し、これらの端部材に設けられた車輪で太陽電池アレイを両側から挟持して保持するようにしても良い。また、太陽電池モジュールの設置角度が比較的緩い場合等には、端部材を設けずに、清掃装置本体５０だけでパネル表面３上を走行させるようになっていても良い。
【００９０】
また、前記した実施の形態では、太陽電池モジュール清掃装置１０として、傾斜方向Ｌに複数の清掃装置本体５０を設けて作業を行うものと、太陽電池アレイ１の傾斜方向Ｌの全長にわたる長さのものを例に説明したが、このような構成に限るものではない。例えば、太陽電池アレイより長さの短い１つの清掃装置本体をレール移動部材に設置し、レール移動部材で水平方向に移動すると共に清掃装置本体を太陽電池アレイ上を傾斜方向Ｌに沿って移動可能にして、清掃するようになっていても良い。
【００９１】
また、清掃装置本体、レール移動部材等の構成は、前記した実施の形態に限定されず、適宜の構成を採用しても良い。
【００９２】
また、前記した実施の形態では、水タンクが１つの場合について説明したが、これに限るものではなく、水タンクが複数、例えば第１水タンクと第２水タンクを有しているものであっても良い。この場合には、２つの水タンクが車両の左右方向に対して略中央位置で前後に並んで配置されていると、より多くの水を載せて作業場所に向かうことができると共に、移動中に重量の偏りで運転に支障を来すことがないようにすることができる。
【００９３】
また、前記した実施の形態では、水を用いて清掃を行うこととしたが、水以外の液体を用いることとしても良い。また、水等の液体の供給方法は、霧状に噴射する方法や、パルス状に吐出する方法、流れ落とす方法等、どのような供給方法でも良い。
【００９４】
また、前記した実施の形態では、太陽電池モジュール保守ユニット及び太陽電池モジュール保守装置の一例として、本発明を太陽電池モジュール清掃ユニット及び太陽電池モジュール清掃装置に適用した場合について説明したが、これに限るものではない。例えば、発電力を向上又は回復させるために、太陽電池モジュールのパネル表面にコーティング剤を塗布して反射防止膜を形成する太陽電池モジュールコーティングユニット及び太陽電池モジュールコーティング装置にも、本発明を適用することができ、また、その塗布したコーティング剤をブレード等で塗り延ばす機能を更に備えた太陽電池モジュールコーティングユニット及び太陽電池モジュールコーティング装置にも、本発明を適用することができる。
【符号の説明】
【００９５】
１  太陽電池アレイ
２  太陽電池モジュール
３  パネル表面
１０，２１０  太陽電池モジュール清掃装置（太陽電池モジュール保守装置）
２０  レール移動部材
２０ａ，２５０ａ  分割体
４１  送水ホース
４２  第１ワンタッチカプラ
４５  給水ホース
４６  第２ワンタッチカプラ
５０  清掃装置本体（分割体）
６０  水タンク
６０ａ，２６０ａ  水タンク設置部
７０  ポンプ
８０  純水装置
８０ａ  純水装置設置部
１００，３００  車両
１０１  運転者用スペース
１０２  荷物用スペース
１０３  バック開閉ドア（開閉ドア）
１０３ａ，１０４ａ，１０５ａ  開口部
１０４，１０５  サイド開閉ドア（開閉ドア）
１１０，３１０  第１収納部（収納部）
１２０，３２０  第２収納部（収納部）
２５０  清掃装置本体
Ｐ  水平方向
Ｌ  傾斜方向
【図１】
2018192942.tif 000003
【図２】
2018192942.tif 000004
【図３】
2018192942.tif 000005
【図４】
2018192942.tif 000006
【図５】
2018192942.tif 000007
【図６】
2018192942.tif 000008
【図７】
2018192942.tif 000009